Podtech/llm-jp-corpus-v4-ja_patent huggingface dataset:
(57)【要約】      （修正有）【課題】学習時、ノートの下に下敷きが有っても、コンパスの針が滑らずにうまく円が描けるコンパスを提供する。【解決手段】スケール（定規）（ア）のゼロの所に支点となる針（エ）を取り付け（取り外す事が出来る）、スケールに摺動自在にカーソル（カ）を取り付け、カーソルに鉛筆（ク）を固定しカーソルを描きたいセンチの所に滑らせ固定しスケールを押し回す。【選択図】図１
2018089943.tif 000002
【特許請求の範囲】
【請求項１】
スケール（定規）をコンパスとして機能させる支点針ホルダーと円を描く為の鉛筆ホルダーカーソルカートリッジとで出来たコンパスである。
【請求項２】
スケール（定規）のゼロの所に取り付け、支点の針のホルダー（取り外しが出来る）と鉛筆ホルダーカーソルカートリッジとで成り立っている物である。
【請求項３】
クレヨンホルダーカーソルカートリッジも附属とした物である。
【請求項４】
五色ボールペン、シャープペンも附属としてセットにしてある物である。
【請求項５】
鉛筆で出来た低学年用のスケールコンパスである。
【発明の詳細な説明】
【技術分野】
【０００１】  スケール（定規）のゼロの所に支点となる針を取り付け（取り外す事が出来る）スケールに鉛筆をカーソルで円を描きたいセンチの所に滑らせ固定しスケールを押し回し真円が簡単に綺麗に描けるのである。日本が誇る文具の技術である。
【背景技術】
【０００２】  円を描くコンパスは昔から少しも改善しておらず描きづらく、ノートの下には下敷きがあり従来のコンパスでは滑り描きづらかった。このスケールコンパスは誰でもがスムーズに描けるのである。
【発明の開示】
【発明が解決しようとする課題】
【０００３】  円を描くコンパスは二股と開く旧態依然として少しも変わらないのである。そこで誰でもが簡単に真円を描ける様にしたスケールコンパスである。また、クレヨンでも描ける様にしたコンパスである。
【課題を解決するための手段】
【０００４】  従来のコンパスは二股に開き、大きめの円を描く時支柱がずれ円がよれたりして真円が描きづらかった。このスケール（定規）コンパスは円を描きたいセンチの所にカーソルを滑らして固定しスケールを押し回すだけで円が描ける画期的な物である。
【発明の効果】
【０００５】  今までの書きづらいコンパスより、このスケールコンパスは数合わせも楽でスケールを押し回すだけで簡単に真円が誰でも描けるのである。
【発明を実施するための、最良の形態】
【０００６】  どうして描きづらいコンパスが改良されてこなかったのかが不思議であった。小さなお子様でも楽しく描ける様、クレヨンでも描ける様に考案した新しいスケールコンパスである。
【実施例】
【０００７】  スケール（定規）に新しい機能を持たせた新発想で、日本のオールインワンになるスケールコンパスで世界初、日本の文具の誇りである。幼稚園でも遊べる様クレヨンでも描ける様にした物である。
【産業上の利用可能性】
【０００８】  日本が誇る文房具、従来のコンパスの概念を覆す画期的な発明で幼稚園児でも使え安全なコンパスでクレヨンでも使用出来る様にした物である図２、図１は小学生低学年でも使える様に安全に考案したコンパスである。教育界、文房具メーカーに大いに貢献するのである。
【図面の簡単な説明】
【０００９】
【図１】Ａ．スケールコンパスの側面図  Ｂ．スケールコンパスに支点針と鉛筆ホルダーカーソルの裏面図  Ｃ．支点針がポッチを押され出ている図  Ｄ．収納針が安全に収納された図  Ｅ．鉛筆ホルダーカーソルの側面図  Ｆ．スケールコンパスで円を描いている上面図
【図２】▲１▼．丸鉛筆スケールの側面図  ▲２▼．鉛筆ホルダーカーソルとクレヨンホルダーカーソル正面図  ▲３▼．鉛筆支点（支柱）及び鉛筆ホルダーカーソルを組み立てる前のパーツの図  ▲４▼．鉛筆ホルダーの滑り止めとヒダの図
【符号の説明】図１
（ア）スケール                        （カ）鉛筆ホルダーカーソル
（イ）支点（支柱）カーソル            （キ）鉛筆の芯
（ウ）ポッチ（針の出し入れ）          （ク）鉛筆
（エ）支点針                          （ケ）鉛筆滑り止めヒダ
（オ）目盛り                          （コ）円を描いている線
図２
（ア）ジョイント                      （カ）鉛筆の芯
（イ）滑り止（ヒダ）                  （キ）クレヨン
（ウ）鉛筆                            （ク）丸鉛筆スケール
（エ）鉛筆カーソル                    （ケ）目盛り
（オ）滑り止ラバ（ゴム）
【図１】
2018089943.tif 000003
【図２】
2018089943.tif 000004
(57)【要約】【課題】ネジ式キャップビンは二人では簡単に開けるキャップでも、一人だと難しくビンの構造特有の問題がある。これは、キャップを回す力とビンを固定する力の２種類の力を必要としているからである。【解決手段】ビン自体にチューブを巻き付け端を握ることでビン自体の固定化が簡単になり、キャップにチューブを巻き付け、キャップ全体を握り回す事で容易にキャップが回転する。【選択図】なし【特許請求の範囲】
【請求項１】
一人でネジ式キャップビンのキャップを容易に開けられるようにビン自体を固定するチューブ。
【請求項２】
ネジ式キャップビンのキャップを容易に回転を可能にするチューブ。
【発明の詳細な説明】
【技術分野】
【０００１】本発明は、一般家庭にあるネジ式キャップビン容器のキャップを一人で容易に開ける動作を補助するチューブに関する。
【背景技術】
【０００２】従来のキャップオープナーは、一人がビンを固定しあと一人がキャップを回す。二人でキャップを開けるのを前提とし、一人で開けるには左右別々の握力が要求され、難しい動作の為開かないキャップが発生した。【０００３】また、キャップを回すとビン自体が動いたり、キャップ自体が滑ったりで、効率よく回転がキャップに伝わらなく、開かないキャップが発生した。
【発明の概要】
【発明が解決しようとする課題】
【０００４】一人でキャップを回すと、回転力がビン自体を動かしてしまい、キャップに回転力が伝わらない。【０００５】キャップ自体が固く滑る素材を使用している為、回転力の伝わりが悪い。【０００６】本発明は、このような従来の問題を解決しようとするものであり、一人で容易にネジ式キャップビンのキャップを開けられるを目的としたチューブである。
【課題を解決するための手段】
【０００７】ビン自体が動かないように、ビンに樹脂性チューブを巻き付けて、チューブの両端を取っ手にして握りビンを固定する。【０００８】キャップの側面にチューブを巻き付けて、チューブの端を張って回転、またはチューブと一体になっているキャップ全体を握っての回転。もしくはその両方を同時に行っての回転と、従来よりスムーズにキャップを開く事ができる。
【発明の効果】
【０００９】上述したように、本発明はネジ式キャップビンのキャップを一人で容易に開けることを可能とした、キャップオープナーとボトルホルダーのチューブである。
【図面の簡単な説明】
【００１０】
【図１】本発明の実施形態を示すキャップオープナー・チューブ
【図２】本発明の実施形態を示すボトルホルダー・チューブ
【発明を実施するための形態】
【００１１】以下、本発明の実施の形態を図１から図２に基づいて説明する。
【００１２】図１の１をキャップサイズに合わせて、３を手で押さえて片方の４を強く引っ張ってキャップ側面に密着。
【００１３】図２の２をビンサイズに合わせて、３を軸に両方の４を強く引っ張ってボトル側面に密着。
【００１４】密着した図２の４を握り瓶を固定し、図１全体を握り回すか４を引っ張り回す事によってキャップが回転する。
【符号の説明】
【００１５】１  キャップ・チューブ
２  ボトル・チューブ
３  チューブ可動リング
４  チューブグリップエンド
【図１】
2018034887.tif 000002
【図２】
2018034887.tif 000003
(57)【要約】【課題】  複数個連結された錠剤を分割出来て、また、取り出しても、その残りをパッケージの中にとどまらせ、他の、小分けしたこの錠剤を分封することで、湿気や、水分から錠剤を守るパッケージを提供する。【解決手段】  複数個連結された錠剤の二つ又は三つ又は四つに連ねたタイプの錠剤を、パッケージに入れると場合、この錠剤が入るパッケージの封房の側面にくびれ部を付け、このくびれ部が、錠剤連結部に接触するように配置してあり、錠剤をパッケージに入れ、切り込み線を入れたシールで封をしてあり、これに、はがし口を設けてあることを特徴とする複数個連結された錠剤を、必要な個数だけ自由に取り出せるパッケージ。【選択図】なし【特許請求の範囲】
【請求項１】
パッケージされる前の裸の錠剤の段階において、一個一個の錠剤の形は様々であっても、一個一個が点接触、または、ランナー状で、連結されており、又は、錠剤成分そのものではないが錠剤成分を害しない寒天等の素材でできた芯を、
錠剤に貫通させた芯入り連結の形になっている錠剤が封入してある封房であって、
中身の封房と封房との間に当たる箇所において両側面にくびれ部を有し、
裏面はくびれ部を覆って平坦面になるが、くびれ部を左右に結ぶ線上のシールに切り込み線を設けてあり、
複数の封房が１シートにパックされている場合において、周縁の長手方向の両サイドに端から端まで引きはがし部を設けてあり、
又は周縁に短手辺と各封房間において、一個一個の錠剤の横に引きはがし部を設けてあり、
または、シールの素材がアルミ箔で出来ており、引き剥がし部も切り込み線も、有さないシールで、封をされてあることを特徴とする複数個連結された錠剤を、必要な個数だけ自由に取り出せるパッケージ。
【発明の詳細な説明】
【技術分野】
【０００１】  本発明は錠剤状の医療品やサプリメントが、複数個連結された錠剤を一個ずつ自由に分割できる錠剤のパッケージに関するものである。
【背景技術】
【０００２】  従来の錠剤のパッケージは、一個の錠剤を一個ずつ一つの仕切りに入れ封をして並列状態に連ねパッキングしていた。
【発明の概要】
【発明が解決しようとする課題】
【０００３】  連結状態で一個ずつ又は複数個ずつ自由に分割できる錠剤を、分割出来て、また、取り出しても、その残りをパッケージの中にとどまらせて、他の、小分けしたこの錠剤を分封することで、湿気や、水分から、錠剤を守るパッケージを提供する。
【発明を解決する手段】
【０００４】  パッケージされる前の裸の錠剤の段階において、一個一個の錠剤の形は様々であっても、一個一個が点接触、または、ランナー状で、連結されており、又は、錠剤成分そのものではないが錠剤成分を害しない寒天等の素材でできた芯を、
錠剤に貫通させた芯入り連結の形になっている錠剤が封入してある封房であって、
中身の封房と封房との間に当たる箇所において両側面にくびれ部を有し、
裏面はくびれ部を覆って平坦面になるが、くびれ部を左右に結ぶ線上のシールに切り込み線を設けてあり、
複数の封房が１シートにパックされている場合において、周縁の長手方向の両サイドに端から端まで引きはがし部を設けてあり、
又は周縁に短手辺と各封房間において、一個一個の錠剤の横に引きはがし部を設けてあり、
または、シールの素材がアルミ箔で出来ており、引き剥がし部も切り込み線も、有さないシールで、封をされてあり、複数個連結された錠剤を、必要な個数だけ自由に取り出せるパッケージ。
【発明の効果】
【０００５】Ａ．連結状態で一つずつ又は複数個ずつ連ねた自由に分割できる錠剤が、一つのシートに分けられて入れられる為、連なった錠剤を分割し封を開けても、これ以外の仕切りに入れられた連なった錠剤は別の包装になっている為、湿気や水分に侵されることはない。
Ｂ．錠剤の入るパッケージの封房の側面にくびれ部があり、錠剤をパッケージごと横に押した時、このくびれ部が、連なった錠剤の連結部に当たり、錠剤を折ることができる。
Ｃ．Ｂで残った錠剤は、湿気や水分からの影響は受けやすいが、開封後の時間が短くまた水分に触れなければ、錠剤の劣化や作用に悪影響を与えにくい。
さらに、従来の封ではなく、切り取り点線の入った封である為、必要量分、封を開け切り取ることができる為、パッケージから残った錠剤がこぼれ出てくることはない。
【図面の簡単な説明】
【０００６】
【図１】本発明におけるパッケージを示す側面から見た平面図
【図２】本発明の裏面図
【図３】本発明において錠剤の三連形態のパッケージをシールを剥がした状態で示す裏面図
【図４】本発明の実施例の単位封房を示し（ａ）、矢印の方向から力を加えて折ろうとしている状態（ｂ）示す平面図
【図５】（ｃ）は図４のシールを開けた状態を示す側面図、（ｄ）は図４の状態から、シールを剥がして錠剤を押し出そうとしている側面図
【発明を実施するための形態】
【０００７】以下、本発明の実施形態を説明する。
パッケージされる前の裸の錠剤の段階において、一個一個の錠剤の形は様々であっても、一個一個が点接触、または、ランナー状で、連結されており、又は、錠剤成分そのものではないが錠剤成分を害しない寒天等の素材でできた芯を、
錠剤に貫通させた芯入り連結の形になっている錠剤（７）が封入してある封房（２）であって、
中身の封房と封房との間に当たる箇所において両側面にくびれ部（３）を有し、
裏面はくびれ部（３）を覆って平坦面になるが、くびれ部を左右に結ぶ線上のシールに切り込み線（５）を設けてあり、
複数の封房が１シートにパックされている場合において、周縁の長手方向の両サイドに端から端まで引きはがし部（６）を設けてあり、
又は周縁に短手辺と各封房間において、一個一個の錠剤の横に引きはがし部（６）を設けてあり、
または、シールの素材がアルミ箔で出来ており、引き剥がし部も切り込み線も、有さないシールで、封をされていることを特徴とする複数個連結された錠剤を、必要な個数だけ自由に取り出せることを特徴とする複数個連結された錠剤を必要な数だけ自由に取り出せるパッケージである。
本発明は以上のような構造である。
本発明を使用する際は、パッケージから錠剤を取り出す前に、指で封房の側面から錠剤を押し（図４参照）錠剤の連結部をパッケージのくびれ部に押しあてて折る。
次にシール（４）を開けて、折れた錠剤を取り出す。残りの錠剤はシールされたままなので床に落ることもない（図５参照）。
【符号の説明】
【０００８】  １．パッケージ本体  ２．封房  ３．くびれ部  ４．シール  ５．切り込み線
６．引き剥がし部  ７．連結した錠剤
【図１】
2018034888.tif 000002
【図２】
2018034888.tif 000003
【図３】
2018034888.tif 000004
【図４】
2018034888.tif 000005
【図５】
2018034888.tif 000006
(57)【要約】【課題】１個のコイルバネに２種類のバネ定数を作りこむことおよびバネ定数の変更を低コストで出来るようにする【解決手段】コイルバネの成型後に外周面の１部を削除して異なるバネ定数にすることで２種類のバネ定数を１個のコイルバネに作りこめることと削除する量を増減することでバネ定数の変更も可能である【選択図】図１
2018034203.tif 000002
【特許請求の範囲】
【請求項１】
圧縮コイルバネ（別名押ばね）の圧縮荷重と変形量の関係を非線形にするためにバネを円筒状に成型した後に外周に加工を加えて所要の圧縮荷重と変形量の関係が非線形となるようにする圧縮コイルバネ（別名押ばね）の製作方法である
【請求項２】
円筒状に成型した圧縮コイルバネ（別名押ばね）の外周をバネの中心線と中心線を同一にする円筒状にかつバネの高さあるいはバネの長さの一部分に亘って削除することで所要の圧縮荷重と変形量の関係が非線形となるようにする圧縮コイルバネ（別名押ばね）の製作方法である
【発明の詳細な説明】
【技術分野】
【０００１】乗用自動車の車体を車輪に懸架させる部品で鋼線材をスパイラル状に成型して製作され乗用自動車に取り付けられるコイルバネの製作方法
【背景技術】
【０００２】乗用車に使用される懸架用のバネは鋼線材をスパイラル状に成型加工してタイヤと車体を他の部品と組み合わせて連結し車体を支えるとともに走行している時に路面から受ける衝撃を軽減させて車体に伝える機能を受け持っている部品である従って他の部品と違い剛性を小さくする形状に作るために鋼線をスパイラル状に成型し一般名称でコイルバネと呼ばれる【０００３】乗用車は燃費を良くするために車体全体で軽量化することを進めており同時に乗員に対する乗り心地の向上も進めなければならないという軽量化と相反する機能の改善を求められており車の重量の内のほとんどを占めるエンジン、車体、補機の軽量化を進めてかつコイルバネの剛性をより小さくして乗り心地を改善する方法ではクルマの走行時に風に揺すられるとかカーブ走行で車体の傾きが大きくなり走行安定性が悪くなり安全性に悪い影響が現れる。【０００４】車体やエンジンの軽量化の進んだ乗用車の走行安定性を改善する要求や乗員の乗り心地の改善を実現するためコイルスプリングの性能として２種類の剛性つまりスプリングにおいてバネ定数と表現される性能を併せ持つコイルスプリングが要求されている【０００５】２種類のバネ定数を１個のコイルスプリングで実現させる製作方法として従来はコイルの巻きピッチを全巻き数の内のある部分に小さく巻く方法が採られて小さい巻きピッチの部分でバネ定数の小さい部分を実現しピッチの大きい部分で大きいバネ定数を実現し２種類のバネ定数を１個のコイルスプリングで実現する製作方法があり実用に供されている【０００６】別の製作方法として設計上ではコイルを形成する鋼線材の径をなだらかに変化させて製作しスパイラル状に巻き上げてコイルスプリングに成型することも提案されているが成型方法が高度の技術を必要としその他理想とするバネ定数を実現するにはコストの増加が避けられないなど燃費の低減等の経済性を優先的に要求される乗用車の部品への適用は出来ない【０００７】バネ用の鋼線材をスパイラル状に巻き上げた後にバネ定数の再調整を低コストで行なうことは既存の製作方法では不可能である
【発明の概要】
【発明が解決しようとする課題】
【０００８】２種類のバネ定数を一本のバネに作りこみ走行安定性を確保しつつ乗員の乗り心地を改善できるコイルバネを低コストで製作出来る方法を解決する手段である
【課題を解決するための手段】
【０００９】２種類のバネ定数を一本のバネに作りこむために鋼線材を一般的な製作方法によって製作したコイルバネの成型後にバネの巻数の一部分のバネ外周部を円筒状になるように鋼線材の断面の削除してバネ定数を小さくして削除しない部分と削除した部分とで２種類のバネ定数を実現する
【発明の効果】
【０００１０】２種類のバネ定数を一本のコイルバネに作りこむことで軽量化の進んだ乗用車の走行安定性を確保しつつ乗員の乗り心地を向上させることの出来るコイルバネの製作を鋼線をコイルバネに成型後に外周の一部のみ削除する追加加工をするだけの低コストで製作可能でかつバネ定数の変更も削除する深さや長さを調節することで極めて容易に低コストで対応できる
【図面の簡単な説明】
【０００１１】
【図１】スパイラル状に成型した後に外周を長さ方向の一部を削除したコイルバネの外形図を示す  Ａ−Ａ矢視図は外周を削除した部分の断面を示す  Ｂ部は削除した範囲を示す  Ｃ部は外周を削除しない部分の線材の断面を示す  Ｄ部は外周を削除した部分の線材の断面を示す
【発明を実施するための形態】
【０００１２】図１に示すように鋼線材をスパイラルコイルに成型した後にコイルの外周の１部を削除して２種類のバネ定数を１個のバネに作りこむ
【実施例】未実施
【産業上の利用可能性】乗用自動車の燃費の削減は今後も続けられ燃費の削減に有効な車体の軽量化が進むに従いバネ定数の非線形が求められる方向に進むため低コストで２種類のバネ定数を１個のバネに作りこめる本製作方法は利用可能性大と考える
【図１】
2018034203.tif 000003
(57)【要約】      （修正有）【課題】カーナビが、今後の会話の可能性のために、マイクを車の前席に適宜配置【解決手段】車載カーナビゲーションの付加機能にマイク２を設ける。カーナビのディスプレイ上層面のガラスにスピーカーとインターネットの２Ｗａｙの機能を併せもち、カーナビ機能の１つになるであろう会話を繋ぐために、カーナビのディスプレイをマイクとする。【選択図】図１
2018034773.tif 000002
【特許請求の範囲】
【請求項１】
車載カーナビゲーションの付加機能にマイクを設ける。カーナビのディスプレイ上層面のガラスにスピーカーとインターネットの２Ｗａｙの機能を併せもち、カーナビ機能の１つになるであろう会話を繋ぐためのマイクを、綺麗な高性能ディスプレイを造る。
【発明の詳細な説明】
【技術分野】
【０００１】本発明は、車室内の空間デザインの１つで静かな空間を造ったカーナビ単一型ディスプレイマイクに関する。
【背景技術】
【０００２】  従来のカーナビは、地図検索、ＴＶ等の時代からインターネットに変わりつつあり、より進んだものでは、ＧＰＳとインターネットの複合製品へ変わりつつあります。
【先行技術文献】
【特許文献】
【０００３】
【特許文献１】特開２００４−１３８５８２号広報
【発明の概要】
【発明が解決しようとする課題】
【０００４】  以上に述べた状来のカーナビの超小型マイクはあるが、機能設計に偏りの空間デザインを壊しています。従来の小型マイクに代るカーナビを提案しようとするもので車で移動中・停車中常に、落着かないイラつき感のないカーナビを実現することを目的とする。
【課題を解決するための手段】
【０００５】  そして、大人の雰囲気を車と享受するには、本発明を達成する為にはデザンの設計思想が大事でマイクをどのように設計するか。マイクの存在価値を高めるカーナビ単一型ディスプレイマイクに託しました。【０００６】  また、具体的手段２案は、１つは、カーナビのディスプレイのガラスパネルを２層に分離し、上層ガラスの役目はインターネット可能、下層を来性能マイクにて収音する材質（液体、ゲル、個体）の開発が必要。
１つは、ガラスパネル１層にインターネットとマイクの両機能保持し、前者は指の動きに合わせ、接触点範囲は追随し、閉じていく状態で振動を遮断、反対に後者は、接触なしの範囲で音声を、これは開き振動可能領域で収音、振動がガラスを指の接触により止まってしまう前に、音を伝え、電気信号に変換する開発提案が可能否か開発が必要。
１つは、上記以外のディスプレイのガラスパネルの開発が必要。
【発明の効果】
【０００７】  上述したように本発明のインターネット環境で当然、ドライブ疲労を考えた時、空間の映像を目でクリックより、ガラスパネル上をカーソル又は他接触接地状態での仕様がよりベター。
快適なドライブ環境を提供可能。カーナビ単一型ディスプレイマイクを提供できる。
【図面の簡単な説明】
【０００８】
【図１】本発明の実施形態を示す単一型ディスプレイマイクの機能説明図
【発明を実施するための形態】
【０００９】以下、本発明の実施の形態を図１に基づいて説明する。
【００１０】  図においては、１は運転中前方の景色  ２はカーナビマイク  ３インテリア
４スピーカ
【図１】
2018034773.tif 000003
(57)【要約】      （修正有）【課題】高速鉄道車両が走行すると強大な騒音と横風圧が発生するため、沿線に防音壁を設置しているが、走行する度に横風圧の繰り返し荷重を受けて劣化、損傷する。【解決手段】高速鉄道車両の先頭車の自動連結器カバーの付け根部分の下部まで、客車と同じ巾に形成し、該先端から後方に向け緩傾斜の昇り坂を形成し、連結器カバーの後部に整流ドームを取り付け、昇り坂の両側には透明の強化ガラス入りの向い風後送体を取り付けて構成した。これにより、先頭車が受ける全向い風を後方に流すので、騒音と横風圧は著しく減少する。したがって、沿線住民に迷惑をかけないと共に防音壁は劣化、損傷しないので、従来、必要とした先頭車の騒音と横風圧をなくすための研究費を他の分野の研究に回すことができる。【選択図】図１
2018034769.tif 000002
【特許請求の範囲】
【請求項１】
高速鉄道車両の先頭車と後尾車（反対方向に走行する時は先頭車になる）の先端まで、客車と同じ巾に形成すると共に、該先端から後方に向け緩傾斜の昇り坂を形成し、、、該昇り坂の最上部に運転室を設置し、昇り坂の両側には客車と同じ高さの向い風後送体を取り付け、該向い風後送体には透明の強化ガラスを取り付け、また、運転室を前記昇り坂の最上部よりやや下方に設置して客車の客席を１列増し、向い風後送体は先端方向に向けて下方に傾斜した構造において、先頭車の自動連結器カバーの付け根部分の下部まで、客車と同じ巾に形成し、該先端から後方に向け緩傾斜の昇り坂を形成し、自動連絡カバーの後部には整流ドームを取り付け、該後部は昇り坂に接合したことを特徴とする高速鉄道車両走行時の騒音と横風圧防止装置。
【発明の詳細な説明】
【技術分野】
【０００１】  本発明は、高速鉄道車両走行時の騒音と横風圧防止装置に関する。
【背景技術】
【０００２】  従来、高速鉄道車両が走行すると強大な騒音と横風圧が発生するため、沿線に防音壁を設置しているが、走行する度に横風圧の繰り返し荷重を受けて劣化、損傷する。
このため、高速鉄道車両は利便性の反面、防音壁の点検、補修や騒音と横風圧を減ずる先頭車両の研究、開発に相当の費用を費している。
【先行技術分献】
【特許文献】
【０００３】
【特許文献１】  特願２０１５−２３８９２８
【発明の概要】
【発明が解決しようとする課題】
【０００４】  本発明は、騒音と横風圧の発生を防止し、沿線の住民に迷惑をかけないようにすると共に防音壁の劣化、損傷を防止し、且、従来の騒音と横風圧をなくすための先頭車の研究、開発費が不要になるようにしたものである。
【課題を解決するための手段】
【０００５】  本発明は、前記特許文献の１の改良に関する。すなわち、特許文献１の構造は、高速鉄道車両の先頭車と後尾車（反対方向に走行する時は先頭車になる）の先端まで、客車と同じ巾に形成すると共に、該先端から後方に向け緩傾斜の昇り坂を形成し、該昇り坂の最上部に運転室を設置し、昇り坂の両側には客車と同じ高さの向い風後送体を取り付け、該向い風後送体には透明の強化ガラスを取り付け、また、運転室を前記昇り坂の最上部よりやや下方に設置して客車の客席を１列増し、向い風後送体は先端方向に向けて下方に傾斜した構造であるが、
本発明は、先頭車の自動連結器カバーの付け根部分の下部まで、客車と同じ巾に形成し、該先端から後方に向け緩傾斜の昇り坂を形成し、自動連結カバーの後部には整流ドームを取り付け、該後部は昇り坂に接合したものである。
【発明の効果】
【０００６】  本発明は、以上のように、昇り坂の両側に向い風後送体を立設し、且、昇り坂は自動連結器カバーの下部を基点にしたので、先頭車が受けるすべての向い風を昇り坂に沿って後方に流し、且、自動連結器カバーの後部に整流ドームを取り付け、向い風が乱流を起こさないようにしたので、騒音と横風圧を著しく減少させることができる。
したがって、沿線住民に迷惑をかけないと共に防音壁は劣化、損傷しないので、従来必要とした先頭車の騒音と横風圧をなくすための研究開発費を他の分野の研究に回すことができる。【０００７】  更に、向い風後送体には、透明の強化ガラスを取り付けたので、運転士は前方から左右までの、１８０度の視界が得られるので、何ら問題なく安全運転することができる。
また、走行時、向い風が後方に流れる時、昇り坂を上から押し付けるので車輪とレールの粘着性能は高まる。
したがって、駆動性とブレーキ性能が向上すると共に電力の消費量を軽減することができる。【０００８】  なお、本発明は運行中の車両に実施可能であり、リニア超高速鉄道車両に実施すれば、更に、有効に作用する等の諸効果を発揮させることができる。
【図面の簡単な説明】
【０００９】
【図１】  本発明の正面図
【図２】  図１の平面図
【図３】  図１の左側面図
【図４】  実施例を示す正面図
【発明を実施するための形態】
【００１０】  図中１は先頭車で、自動連結器カバー２の付け根部分の下部まで客車３と同じ巾に形成し、該先端から後方に向け緩傾斜の昇り坂４を形成している。
５は昇り坂４の上部に設置した運転室、６は昇り坂４の両側に立設した向い風後送体で客車３と同じ高さか、先端方向に向け下方に傾斜する。また、向い風後送体６には透明の強化ガラス７を取り付けている。
また、８は整流ドームで、自動連結器カバー２の後端に取り付け、該後部は昇り坂４に接合している。
【符号の説明】
【００１１】  １  先頭車
２  自動連結器カバー
３  客車
４  昇り坂
５  運転室
６  向い風後送体
７  透明の強化ガラス
８  整流ドーム
【図１】
2018034769.tif 000003
【図２】
2018034769.tif 000004
【図３】
2018034769.tif 000005
【図４】
2018034769.tif 000006
(57)【要約】      （修正有）【課題】使用しやすいクリアファイルを提供する。【解決手段】下端にクリアファイル折目８と一方の側端にクリアファイル接合部９を有し、縦開口部の切断線１２は常にわずかに開いている。クリアファイル接合部の下方に接合の無い部分１０を設ける。沢山の書類を入れてもクリアファイル折目８は丸くなって対応するので破壊しない。【選択図】図４
2018034339.tif 000002
【特許請求の範囲】
【請求項１】
下辺を折り曲げ、縦片面を接合して成るクリアファイル。
【発明の詳細な説明】
【技術分野】
【０００１】
クリアファイル。
【背景技術】
【０００２】
クリアファイル
【発明の概要】
【発明が解決しようとする課題】
【０００３】
公知のクリアファイルは持つ時に底部が手に痛いし、書類を多く入れると底部接合部3が破れる。又、底部接合部のない所4が真下にあるので、ここからクリップ、ビンなどが落ちたり、ここから接合部3が破れる（30）製造上でも4の部分を接合しないとか、破れ防止ダイカット5や挿入用ダイカット6の打抜き工程が必要なので製造工程がかかり、コストアップになっている。
【課題を解決するための手段】
【０００４】
折り目と縫い目を90°回転して縦横逆にし、非接合部分4を水平にし、ダイカットもしない事により性能アップとコストダウンをはかる。
【発明の効果】
【０００５】
挿入部が僅かに開いているのでいちいち切欠きに指を入れて開いて書類を入れる煩雑さがなく、且つ挿入する書類の収納力が大、多くの書類を入れても接合部から破壊すること無く、特に多くの書類を入れて持ち上げる時、端部で手を切る危険が無く、製造上は工程が減り、ローコストとなり大量生産が容易なクリアファイルを得る。
【図面の簡単な説明】
【０００６】
【図１】公知のクリアファイルの平面図
【図２】同上横面図
【図３】同上多数の書類を入れた横面図
【図４】本発明クリアファイルの平面図
【図５】同上横面図
【図６】同上多数の書類を入れた横面図
【図７】本発明クリアファイル製造ライン
【発明を実施するための形態】
【０００７】
図1は公知のクリアファイル1で、折り目2、接合部3、破壊防止スリット4、書類挿入めくり凹5から成る。
図2は公知ファイルの横面図で、接合部3が下にあるので本体1の表裏二枚がくっついているのでめくる穴5を必要とする。
図3は公知クリアファイル1に多数の書類6を入れた場合のクリアファイル1の横断面図で、シール3が破壊するのを防止するスリット4が入れてあるが、それでも破壊し、30の如く離れてしまう。
【０００８】
図4は本発明クリアファイルの実施例で、本体7には切込5、切込6も不要である。なぜなら図5の本発明の横面図の如く、7の下端に接合部3が無いので本体7及びエッジ12は常にわずかに開いているからである。接合部9は縦にしてその下方に接合部無しの部分10を設ける。11と12は左右辺の切断部である。
図6に示す如く沢山の書類6を入れても8部分は丸くなって対応するのでファイル7が破壊しない。
【０００９】
図7は本発明装置を製造する製造ラインで、クリアファイル原反シート70を三角状に折る過程71を経て、モータ83で回転するピンチローラ81（回転軸は82）により、シートは折り目8で折り曲げられ72送られる。次に接合装置90で縦方向に接合9される。接合装置は図7に示す如く、接合スポット91は90の全巾は無く、下端92には接合部を設けない。こうする事によって図4の如く接合部9の下端に接合が無い部分10を設ける事が出来る。
シート72が更に進むとカッタ110により、縦方向に切断され、本発明製品7が完成する。そしてカッタ14の中に落ち自動的に完成品7が積み重ねられる。
【産業上の利用可能性】
【００１０】
クリアファイルは全職場や家庭、学校で使われている必需品である。本発明により破壊し難くめくり易く、沢山の処理が入り、手にケガをせず、しかもローコストなので産業上利用可能性大である。
【符号の説明】
【００１１】
1 公知クリアファイル
2 同上折り目
3  同上接合部
4  同上破壊防止スリット
5  同上めくり用切欠き
6  クリアファイルに入れる書類
7  本発明クリアファイル
8  本発明クリアファイル折目
9  本発明クリアファイル接合部
10  同上の接合の無い部分
11  同上の接合閉口部の切断線
12  縦開口部の切断線
13  上端開口部
14  本発明完成品収納ストッカ
70  クリアファイルシート原反
71  上記原反を三角に折るガイド
72  二つに折重ねたシート
73  接着9された二つ折りシート
81  シート71を二つ折りに圧着し、シートを送るピンチローラ
82  同上回転軸
83  ピンチローラ81を回転するモータ
90  シート72を接合するシーラ
91  接合スポット
92  接合されない部分
110  シート73を切断するカッタ
【図１】
2018034339.tif 000003
【図２】
2018034339.tif 000004
【図３】
2018034339.tif 000005
【図４】
2018034339.tif 000006
【図５】
2018034339.tif 000007
【図６】
2018034339.tif 000008
【図７】
2018034339.tif 000009
(57)【要約】【課題】  子供の成長を家の柱に身長を刻んで残していることがあるが、家族構成の変化とともに転居することが多い現代では、柱を持って転居することは不可能である。【解決手段】  身長測定器を板状の連結・組立式定規にすることで、転居時に当該定規を容易に新居に移設することができ、将来も同じ定規に身長を刻むことができる。【選択図】図３
2018034491.tif 000002
【特許請求の範囲】
【請求項１】
平板表面に長さ目盛が加工されているか又は貼り付けられている多角形平板でその１辺に他の平板と連結するための連結部を備えていることを特徴とする組み立て式定規。
【請求項２】
連結部が平板を切り込み加工した形状であることを特徴とする請求項１記載の組み立て式定規。
【請求項３】
平板及び連結固定する部品が木材であることを特徴とする請求項１乃至請求項２記載の組み立て式定規。
【発明の詳細な説明】
【技術分野】
【０００１】  本発明は分割及び組み立て式の身長測定定規に関するものである。
【背景技術】
【０００２】  従来の身長測定定規は一体型であり、全長が長く重い。
【発明の開示】
【発明が解決しようとする課題】
【０００３】  従来の身長測定定規は一体型で重く、持ち運びが不便である。【０００４】  従来の身長測定器は突起物があり危険である。
【課題を解決するための手段】
【０００５】  定規を平板とする。【０００６】  定規を連結組み立て式とする。【０００７】  材質を木材とする。
【発明の効果】
【０００８】  本発明は平板型身長測定定規で突起物を排除し金属部品で構成しないので安心・安全に使用することができる【０００９】  さらに、形状が平板で切り込み加工の連結部にすることで容易な分割及び組み立てを可能にした。【００１０】  平板材料に木材を使用することで、軽く容易に持ち運ぶことができる。【００１１】  これまで廃棄されていた木材の端材を有効利用することができる。【００１２】  個々の定規の色・形状を自由に選択し組み立てることで自由に室内装飾を構築できる。
【実施するための最良の形態】
【００１３】  本発明の一実施形態を〔図１〕、〔図２〕、〔図３〕に示す。
【実施形態の効果】
【００１４】  この実施形態によれば、全長１ｍ程度の長さの平板を連結・分割することで容易に移動が可能であり、移動中の破損を回避することができる。
【００１５】  この実施形態によれば、木質素材とすることで環境に配慮することができる。
【００１６】  この実施形態によれば、材質を木材とすることで、これまで廃材とされていた木材の端材を有効に利用することができる。
【他の実施形態】
【００１７】  本発明によらない〔図４〕の実施形態によれば、全長が約２ｍの一体であり、重く持ち運びが不便で移動中に破損することがある。
【００１８】  本発明によらない実施形態によれば、多くの場合はプラスティック材であることから将来的には環境負荷を増大させることになる。
【図面の簡単な説明】
【００１９】
【図１】本発明の一実施形態を示す平板図である。
【図２】本発明の一実施形態を示す平板図である。
【図３】本発明の一実施形態を示す平板連結図である。
【図４】本発明によらない、他の実施形態の図を示す。
【符号の説明】
【００２０】  １  連結平板（１）
２  連結平板（２）
３  定規（目盛）（１）
４  定規（目盛）（２）
５  連結用溝
６  連結用突起
【図１】
2018034491.tif 000003
【図２】
2018034491.tif 000004
【図３】
2018034491.tif 000005
【図４】
2018034491.tif 000006
(57)【要約】【課題】台車から荷物を降ろすのは手作業が主であった。【解決手段】スライド式荷台を持つ台車により、台車の後部を少し持ち上げる事により、容易に荷物が降ろせることを可能にした。【選択図】図１
2018034523.tif 000002
【特許請求の範囲】
【請求項１】
ベルトコンベアやローラーコンベア、またその組み合わせにより、荷物をスライドさせて降ろす事が出来る台車。
【発明の詳細な説明】
【技術分野】
【０００１】
この発明は、台車の荷降ろしに関する。
【背景技術】
【０００２】
従来の台車は、荷物を運搬する機能を主とするものであった。
【発明の概要】
【発明が解決しようとする課題】
【０００３】
従来の技術によれば、台車は運搬の機能を持つものが主で、リフトアップの機能を兼ね備えるものもあるが、荷物を降ろす機能を兼ね備えるものはなかった。  そこで、この発明は、台車から荷物を降ろすとき、荷物をスライドさせる機能を持つ台車を提供することを課題とする。
【課題を解決するための手段】
【０００４】
以上の課題を解決するために、本発明は、台車の荷物を乗せる部分に、ローラープラスベルトコンベアの機能を持たせ荷物をスライドさせ降ろせる事を特徴とする台車である。  
【発明の効果】
【０００５】
本発明によれば台車から荷物を降ろすとき、荷物を持ち上げる手作業がいらなくなる。
【図面の簡単な説明】
【０００６】
【図１】この発明の一実施形態を示す姿図である。
【図２】この発明の荷物を乗せる部分の断面図である。
【図３】この発明の図２ブレーキを固定する部分の拡大図。
【発明を実施するための形態】
【０００７】
この発明の一実施形態を、図１に示す。
通常の台車の荷置き部分をローラーコンベア的ベルトコンベアとしたものである。
【０００８】
「実施形態の効果」
この実施形態によれば、台車の後部を少し持ち上げる事によりローラー３が回転し、ベルト４が前方に動き、その上の荷物が、地面に降りてゆく。荷物を降ろす前の運搬のみのとき、ローラーが回転しないようブレーキペダル２をふみ、ブレーキパッド５をベルト４に接触させる。ブレーキをかけた状態を保持するため、ペダル止め６が垂直に下がり、ブレーキペダルを固定する。荷物をスライドさせるときは、ペダル止め６にあるつまみを持ち上げる事で、ブレーキが解除される。
「他の実施形態」
図１の実施形態では、ローラーの数を１１ケで記載しているが、軽い物の運搬用には、ローラーの数を減らしてもよいし、逆に重い物のときはローラーを増やしたり、重くても、細かくはない荷物用には、ローラーのみで対処することも可能である。ブレーキペダル及びペダル止めについては図２及び図３では自然重で動かすようになっているが、バネ装着方法もある。
【符号の説明】
【０００９】
１  台車スライド荷置き部  ２  ブレーキペダル    ３  ローラー  ４ベルト  ５  ブレーキパッド  ６  ペダル止め
【図１】
2018034523.tif 000003
【図２】
2018034523.tif 000004
【図３】
2018034523.tif 000005
(57)【要約】【課題】磁気アンバランス点の問題を解決する。【解決手段】イ）磁石Ｓ、Ｎ極対向の同極磁気アンバランス軽減方法。ロ）対向するリング状の形状上下ＭｇＡ，Ｂに依り上下浮上用はフラット面での反発力に傾斜面は同芯方向（一部浮上）に作用する。全体としてこの組み合わせの浮上と同芯作用を可能とする。但しＭｇ周辺は非磁性体で構成する。ハ）依ってベアリングはセラミックスベアリング、シャフトはカーボンまたはステンレス材使用。ニ）軸受条件はシャフトとベアリング内径と間にギャップを設ける。【選択図】図２
2018174693.tif 000002
【特許請求の範囲】
【発明の詳細な説明】
2018174693.tif 000003
2018174693.tif 000004
2018174693.tif 000005
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
凹リングＭｇと凸リングＭｇを同極対向に合わせ反発力を利用する組み合わせ上下２組で発電機軸受で構成する、マグネット使用の磁気浮上式。
【請求項２】
中心シャフト軸とベアリング内径との間に通常ベアリングの３〜４倍のクリアランスを設ける（通常は無接触）強風時のみ一点当たりでガードする（上下スラスト方向はベアリングの機能させない）結果上下スラスト方向は無接触状態可能となる、請求項１に記載のマグネット使用の磁気浮上式。
【請求項３】
軸受けとその機能（同心度）は凸凹Ｍｇの傾斜部分で同心度（中心）が保持可能な、請求項１または２に記載のマグネット使用の磁気浮上式。
【請求項４】
凸凹リングマグネット間のギャップは回転体（磁力負荷）の全質量とのバランス点になるようギャップ調整機構で調整する、請求項１〜３のいずれかに記載のマグネット使用の磁気浮上式。
【請求項５】
多段方式とする、同上発電機搭載引き出し式風力発電機ユニット機構。
【請求項６】
スタック方式（全部引き出し式）、請求項５に記載の同上発電機搭載引き出し式風力発電機ユニット機構。
【手続補正２】
【補正対象書類名】明細書
【補正対象項目名】全文
【補正方法】変更
【補正の内容】
【発明の詳細な説明】
【技術分野】
【０００１】
本発明は、磁気浮上軸受、および発電機を使ったスタック型風力発電装置風力発電機に関する。
【背景技術】
【０００２】
従来の磁気軸受では色々多様な磁気軸受が考案され実用化されているが、世界でもこの種の風力発電が実用化されている機構の発電機は見当たらない。
【発明の概要】
【発明が解決しようとする課題】
【０００３】
回転体（水平型発電機）の軸受にかかる荷重とスラスト上下方向磁気反発力との間に生じる磁気アンバランス点に問題があり、これを解決する必要がある。
【０００４】
この磁気アンバランス領域はギャップが少なくなる程不安定になり、ラジアル（横方向）に働き次第にブレーキとしての動作を呈するようになる（いわゆる磁気アンバランス状態に入る）。長い間、実用化されなかった理由でもある。
【課題を解決するための手段】
【０００５】
これを解決する手段にマグネットＡ、Ｂ相互の形状とそれを構成する機構と材質によりこの問題解決する事が出来る。
【０００６】
イ）磁石Ｓ、Ｎ極対向の同極磁気アンバランス軽減方法。
ロ）対向するリング状の形状上下ＭｇＡ，Ｂに依り上下浮上用はフラット面での反発力に傾斜面は同芯方向（一部浮上）に作用する。全体としてこの組み合わせの浮上と同芯作用を可能とする。但しＭｇ周辺は非磁性体で構成する。
ハ）依ってベアリングはセラミックスベアリング、シャフトはカーボンまたはステンレス材使用。
ニ）軸受条件はシャフトとベアリング内径と間にギャップを設ける。
【図面の簡単な説明】
【０００７】
【図１】図１は、磁気浮上軸受の構成を示す断面図である。
【図２】図２は、磁気浮上軸受が搭載された風力発電機の構成を示す断面図である。
【図３】図３は、スタック型風力発電装置の外観を示す斜視図である。
【符号の説明】
【０００８】
１  セラミックベアリング
２  凹型リングＭｇ
３  凸型リングＭｇ
４  ギャップ調整機構
５  スラスト方向ギャップ
６  ＳＵＳ又はカーボンシャフト（シャフト固定）
７  実際は上下２組で構成
【手続補正４】
【補正対象書類名】図面
【補正対象項目名】全図
【補正方法】変更
【補正の内容】
【図１】
2018174693.tif 000006
【図２】
2018174693.tif 000007
【図３】
2018174693.tif 000008
(57)【要約】【課題】米糠からＬＰＳ（リポポリサッカライド）を含有する米糠エキスを簡易に低コストで得ることのできるＬＰＳ（リポポリサッカライド）含有米糠エキスの製造方法及び米糠エキスを利用した健康食品を提供する。【解決手段】2018174905.tif 000009工程からなるＬＰＳ（リポポリサッカライド）含有米糠エキス及び米糠エキスを利用した健康食品を製造することを特徴とする。【特許請求の範囲】
【請求項１】
米糠を８〜１０時間水に浸漬・膨潤する一次工程と９０〜１００℃で４０〜５０分間加熱
2018174905.tif 000008
を特徴とするＬＰＳ（リポポリサッカライド）含有米糠エキスの製造方法。
【請求項２】
請求項１記載の方法で製造したＬＰＳ（リポポリサッカライド）含有米糠エキスを利用した健康食品。
【発明の詳細な説明】
【発明の詳細な説明】
【技術分野】
【０００１】本発明は、ＬＰＳ含有米糠エキスの製造方法及び米糠エキスを利用した健康食品に関する。
【背景技術】
【０００２】近年、免疫機能活性化物質としてＬＰＳ（Ｌｉｐｏｐｏｌｙｓａｃｃｈａｒｉｄｅ（リポポリサッカライド））が注目を浴びている。
ＬＰＳは、グラム陰性菌細胞壁外膜の構成成分であり、脂質及び多糖から構成される物質（糖脂質）である。ＬＰＳは内毒素（エンドトキシン）であり、ヒトや動物など他の生物の細胞に作用すると、多彩な生物活性を発現すると言われている。
グラム陰性菌例えば、パントエア属に属する微生物を培養し菌体から、ＬＰＳを得る方（特許文献１）、パントエア・アグロメランス由来のＬＰＳを配合した免疫活性化剤及び免疫活性化剤配合物（特許文献２）が提案されている。
また、米糠を用いたものとして、米糠を原料として得られた乳酸菌発酵物からな糖尿病治療剤及び免疫増強剤（特許文献３）、米糠の水抽出物を含有する免疫賦活用組成物で２０〜３０℃、３０分以上で抽出した分子量３００００〜４００００の画分からなる抽出物（特許文献４）、さらに、米糠エキスに関しては、米糠を水に入れ、米糠のエキスを水に抽出し、米糠を除去し、米糠エキスの抽出水を得、抽出水ににがりを加え、加熱して６０℃にし、米糠エキスを凝固させ、凝固物を回収する米糠エキスの製造法（特許文献５）、水を煮沸して脱気した冷水（水温１０℃以下）に米糠を加え懸濁して１０時
2018174905.tif 000002
を凝固析出させて、たんぱく質と液を分離し、分離した液を混床式イオン交換樹脂層に通して得た液を低温で蒸発濃縮する米栄養エキスの製造法（特許文献６）、脱脂米糠を水に懸濁し、酸でＰＨを１〜６に調整後、１０〜６０℃で５分間以上浸漬して浸出液を得、浸出液からフィチン酸を除去、脱色する米エキスの製造法（特許文献７）が提案されている。
しかしながら、米糠を原料としたＬＰＳ含有米糠エキスの製造方法及び該エキスの利用についてはいずれも提案されていない。【０００３】
【特許文献１】特開平８−２４５７０２号公報
【特許文献２】特開２０１２−８２１５６号公報
【特許文献３】特開平９−４０５６６号公報
【特許文献４】特開平２００２−２５５８４３号公報
【特許文献５】特許４０２７３４２号公報
【特許文献６】特開昭５９−６８４９号公報
【特許文献７】特開昭５４−３２６７０号公報
【発明の開示】
【発明が解決しようとする課題】
【０００４】解決しようとする課題は、ＬＰＳの抽出には複雑な工程と装置が必要であったため、簡易に低コストでＬＰＳを抽出できないか、調査研究をした結果、米糠にＬＰＳが多量に含有していることに着目し、本発明を完成した。
本発明の目的は、ＬＰＳを簡易且つ安価に得ることのできるＬＰＳ含有米糠エキスの製造方法及び米糠エキスを利用した健康食品を提供することである。
【課題を解決するための手段】
【０００５】本発明者は上記課題を達成するために鋭意研究を重ねた結果、米糠を８〜１０時間水に浸漬・膨潤する一次工程と９０〜１００℃で４０〜５０分間加熱・撹拌する二次工程とミキ
2018174905.tif 000003
糠エキスの製造方法である。
本発明はまた、上記方法で製造したＬＰＳ含有米糠エキスを利用した健康食品である。
【発明の効果】
【０００６】
2018174905.tif 000004
ることにより簡易且つ低コストでＬＰＳ含有米糠エキスを得ることができる。
また、本発明の方法により得られたＬＰＳ含有米糠エキスを健康食品に利用できる。
【発明を実施するための最良の形態】
【０００７】本発明に於いて用いる米糠は特に限定するものではないが、ＬＰＳが多く含まれる皮、特に亜糊粉層の多いものが好ましい。
2018174905.tif 000005
ＬＰＳ含有米糠エキスの製造方法である。【０００８】本発明でＬＰＳを抽出する条件は米糠を８〜１０時間水に浸漬して米糠の粒子を十分膨潤する一次工程と９０〜１００℃、４０〜５０分間加熱・撹拌する二次工程とミキサーで３〜４分間微粒子化してろ過する三次工程によりＬＰＳを抽出する。
上記抽出を実施するため、米糠を水に浸漬することにより皮と亜糊粉層が膨潤して軟化し、加熱することにより三次工程での微粒子化を容易にする。
また、抽出装置も特殊で高価な装置は必要でなく通常の加熱用鍋又は釜と撹拌翼付きキサーで良い。
【実施例１】
【０００９】米糠１，０００ｇに水５，０００ｍｌを加えて８〜１０時間水に浸漬して米糠の粒子を十分膨潤し、次いで９０〜１００℃で４０〜５０分間加熱・撹拌し、さらに家庭用ミキサーで３
2018174905.tif 000006
のＬＰＳの含有量は８．２６μｇ／ｍｌであった。
【実施例２】
【００１０】米糠６００ｇに水３，０００ｍｌを加えて８〜１０時間水に浸漬して米糠の粒子を十分膨潤し、次いで９０〜１００℃で４０〜５０分間加熱・撹拌し、さらに家庭用ミキサーで３〜４
2018174905.tif 000007
ＰＳの含有量は１１．８４μｇ／ｍｌであった。
更にこの米糠エキスを濃縮・乾燥・粉砕して健康食品として摂取できる様１０μに超微細化してカプセル充填した。
【実施例３】
【００１１】黒豆３００ｇに米糠エキス１，２００ｍｌ、砂糖２００ｇ、濃口醤油大さじ２杯、塩小さじ１杯を加え、蓋をしてごく弱火で３時間加熱した。ふっくらしたＬＰＳ含有の黒豆ができた。
【実施例４】
【００１２】牛乳５０ｍｌに米糠エキス１００ｍｌを加えてＬＰＳ含有健康飲料を製造した。
大人１日にＬＰＳを５００μｇ摂取すると良いとされているので、本発明の米糠エキスで十分な量を摂取できることになる。
【産業上の利用可能性】
【００１３】本発明の方法によって得られた米糠エキスを濃縮・乾燥・粉砕・微細化して、カプセル充填することによりＬＰＳ含有の健康食品（サプリメント）として利用できる他、健康志向の米糠エキス加工食品、例えば、パン類、ケーキ類、和菓子類、総菜等に幅広く利用できる。
また殺菌処理することにより長期保存ができ用途も拡大できる。
【手続補正書】
【提出日】平成30年4月19日(2018.4.19)
【手続補正１】
【補正対象書類名】特許請求の範囲
【補正対象項目名】全文
【補正方法】変更
【補正の内容】
【特許請求の範囲】
【請求項１】
米糠を８〜１０時間水に浸漬・膨潤する一次工程と９０〜１００℃で４
2018174905.tif 000010
する三次工程からなることを特徴とするＬＰＳ（リポポリサッカライド）含有米糠エキスの製造方法。